(57)【要約】【課題】入力端子に入力された入力信号の種別を高精度に検証し、検証結果に基づき入力信号の送出先を切り替えることで、入力側の信号種別と出力側の信号種別が同一である必要が無く、接続間違いを防止することが出来る映像表示装置を提供する。【解決手段】入力信号検証部１３で、まず入力された信号に水平同期信号が含まれるか否かが検証され、水平同期信号を含まない信号に関しては音声信号と判断し、水平同期信号を含む信号については、所定のサンプリング周期で検波を行うことにより更に詳しく検証を行い、検証により得られた複数の検波データに変動がない場合は、検証対象の信号を映像信号と判断する。そして、入力信号検証部１３での検証結果に基づき、スイッチ切り替え部１４において適正なスイッチの切り替えが行われる。【選択図】図１
2009049673.tif 000002
【特許請求の範囲】
【請求項１】
映像信号または音声信号のうち、いずれかの入力信号が入力される第１および第２の入力端子と、
映像信号に対して画像処理を行う映像信号処理部と、
音声信号に対して音声処理を行う音声信号処理部と、
前記入力信号の信号種別を検証する入力信号検証部と、
前記入力信号検証部による検証結果に基づき、前記第１の入力端子から入力された前記入力信号の送出先を、前記映像信号処理部または前記音声信号処理部へ切り替える第１のスイッチと、
前記入力信号検証部による検証結果に基づき、前記第２の入力端子から入力された前記入力信号の送出先を、前記映像信号処理部または前記音声信号処理部へ切り替える第２のスイッチと、
前記映像信号処理部より出力される前記映像信号が入力される映像表示部と、
を備えた映像表示装置において、
前記入力信号検証部にて、前記入力信号に水平同期信号が含まれるか否かを検証し、
前記入力信号に前記水平同期信号が含まれない場合は、前記入力信号の種別を音声信号であると判定し、
前記入力信号に前記水平同期信号が含まれる場合は、更に所定のサンプリング周期で検波を行うことにより、前記水平同期信号を詳細に検証し、検波により得られた複数のデータに変動がない場合は、前記入力信号の種別を映像信号であると判定することを特徴とする映像表示装置。
【請求項２】
請求項１に記載の映像表示装置において、
前記第１または第２の入力端子を介して入力された前記入力信号の送出先が同一である場合、誤った接続がなされていることを示すエラーが検出され、前記映像表示部に表示されることを特徴とする映像表示装置。
【発明の詳細な説明】
【技術分野】
【０００１】
本発明は、外部機器より入力される入力信号の種別を問わない外部入力端子を備えた映像表示装置に関する。
【背景技術】
【０００２】
映像や音声を記録する媒体としては、従来よりビデオテープやＣＤ（Compact Disc）が用いられてきたが、近年においては、より多くの情報を記録することの出来るＤＶＤ（Digital Versatile Disk）やＢＤ（Blu-ray Disc；登録商標）が普及し始めており、これらの媒体を記録再生する記録再生装置も併せて普及し始めている。
【０００３】
また、装置内部のメモリ上にデジタル信号として映像や音声を記録し、記録したデータを再生することの出来るデジタルカメラや携帯電話なども、新たな記録再生装置として普及し始めている。
【０００４】
記録したデータを視聴するための機器の一例としては、テレビ受像機が挙げられ、テレビ受像機は、その本体背面側等に記録再生装置から出力される映像信号や音声信号を入力するための入力端子を備えている。
【０００５】
映像を再生する場合は、テレビ受像機側の映像信号入力端子と記録再生装置側の映像信号出力端子を専用のケーブルで接続し、記録再生装置側から出力された映像信号をテレビ受像機側で受信し、映像を再生する。
【０００６】
音声を再生する場合も同様に、テレビ受像機側の音声信号入力端子と記録再生装置側の音声信号出力端子を専用のケーブルで接続し、記録再生装置側から出力された音声信号をテレビ受像機側で受信し、音声を再生する。
【０００７】
しかしながら、ケーブルの接続を誤った場合（例えば、映像信号出力端子と音声信号入力端子を接続した場合等）は、取り扱う信号形式が異なる端子同士の接続となるため、信号を送受信することが出来ず、これにより、映像または音声は再生することが出来ない。
【０００８】
上述の問題を解消するためには、再度、テレビ受像機側の入力端子と記録再生装置側の出力端子とを正確に接続し直す必要があるが、入力端子と出力端子を比較した場合、色や形状において、特段の差異がある訳ではないため、ユーザーにとっては分かりづらく、利便性の悪い仕様となっている。
【０００９】
特許文献１には、信号形式の異なる第１および第２の外部ビデオ信号が供給される第１および第２の端子部が設けられ、第１の端子部を構成する入力端子のうちの１つが、外部ビデオ信号の入力状態を検知するためのスイッチ機能を有しているテレビ受像機が記載されている。
【００１０】
特許文献２には、所定の閾値を超える電圧信号を検出した場合に、接続先端子をビデオ信号出力端子または音声信号出力端子と判定し、加えて、所定の同期信号を検出した場合は、接続先端子をビデオ信号出力端子と判定し、所定の同期信号を検出しない場合は、接続先端子を音声信号出力端子と判定する信号処理装置が記載されている。
【００１１】
特許文献３には、ＩＥＥＥ１３９４端子とアナログ端子を備えたテレビジョン受信装置が記載されており、このテレビジョン装置は、該テレビジョン装置に接続している外部機器に対し、返信コマンドを含んだアナログ信号をそれぞれの端子へ送出する。
そして、該テレビジョン装置にて、アナログ信号を検出することにより、返信の有無を検出し、返信のある端子をＩＥＥＥ１３９４として記憶部に記憶し、返信のない端子をアナログ端子として記憶部に記憶する。
【００１２】
【特許文献１】特開２００７−６１５０号公報
【特許文献２】特開２００２−５１２９４号公報
【特許文献３】特開２００２−１８５８７４号公報
【発明の開示】
【発明が解決しようとする課題】
【００１３】
上記の特許文献１〜３においては、入力端子に入力される信号の種別が特定されているため、ケーブルの接続を誤った場合に映像または音声が再生出来ないという問題や、入力された信号の種別を高精度に検証出来ないという問題がある。
【００１４】
本発明は、上述した問題点に鑑み、入力端子に入力された入力信号の種別を高精度に検証し、検証結果に基づき入力信号の送出先を切り替えることで、入力側の信号種別と出力側の信号種別が同一である必要が無く、接続間違いを防止することが出来る映像表示装置を提供することを目的としている。
【課題を解決するための手段】
【００１５】
本発明に係る映像表示装置は、映像信号または音声信号のうち、いずれかの入力信号が入力される第１および第２の入力端子と、映像信号に対して画像処理を行う映像信号処理部と、音声信号に対して音声処理を行う音声信号処理部と、入力信号の信号種別を検証する入力信号検証部と、入力信号検証部による検証結果に基づき、第１の入力端子から入力された入力信号の送出先を、映像信号処理部または音声信号処理部へ切り替える第１のスイッチと、入力信号検証部による検証結果に基づき、第２の入力端子から入力された入力信号の送出先を、映像信号処理部または音声信号処理部へ切り替える第２のスイッチと、映像信号処理部より出力される映像信号が入力される映像表示部とを備えている。
そして、入力信号検証部にて、入力信号に水平同期信号が含まれるか否かを検証し、入力信号に水平同期信号が含まれない場合は、入力信号の種別を音声信号であると判定し、入力信号に水平同期信号が含まれる場合は、更に所定のサンプリング周期で検波を行うことにより、水平同期信号を詳細に検証し、検波により得られた複数のデータに変動がない場合は、入力信号の種別を映像信号であると判定する。
【００１６】
このようにすることで、映像信号に含まれる水平同期信号が有する周波数と、音声信号が有する周波数が同一である場合においても、入力信号の種別を正確に検証することが出来る。
これにより、映像表示装置が入力信号の送出先を誤ることを防止することが出来る。
【００１７】
本発明の映像表示装置において、第１または第２の入力端子を介して入力された入力信号の送出先が同一である場合、誤った接続がなされていることを示すエラーが検出され、映像表示部に表示される。
【００１８】
このようにすることで、仮に誤った接続がなされた場合においても、直ちに注意喚起がなされるため、接続先不良による装置間の誤動作を早期に解決することが出来る。
【発明の効果】
【００１９】
本発明によれば、入力された信号の種別を高精度に検証し、検証結果に基づいて、スイッチを切り替え、送出先を決定するため、映像表示装置側に設けられた入力端子と映像や音声の再生を行う再生装置側に設けられた出力端子とを接続する場合、入力側の信号種別と出力側の信号種別が同一である必要が無く、接続間違いを防止することが出来る。
また、これにより、ユーザーの利便性も向上する。
【発明を実施するための最良の形態】
【００２０】
以下、本発明の実施形態につき、図面を参照しながら説明する。
【００２１】
図１は、本発明に係る映像機器の実施形態を示したブロック図である。
図において、１００はテレビ受像機、２００はテレビ受像機１００に接続されたＤＶＤ（Digital Versatile Disk）レコーダ、１はテレビ受像機１００全体を制御するためのマイクロプロセッサ、２はテレビ受像機１００の各部に電源を供給する電源部、１１はテレビ受像機１００に設けられた外部入力端子Ａ、１２はテレビ受像機１００に設けられた外部入力端子Ｂである。
【００２２】
１３は外部入力端子Ａ１１または外部入力端子Ｂ１２を介して入力された入力信号について信号種別の検証を行う入力信号検証部、１４は入力信号検証部１３の検証結果に基づき、外部入力端子Ａ１１または外部入力端子Ｂ１２を介して入力された入力信号の送出先を切り替えるスイッチ切り替え部、１５は外部入力端子Ａ１１を介して入力された入力信号の送出先と外部入力端子Ｂ１２を介して入力された入力信号の送出先とが同一の場合にエラーを検出するエラー検出部である。
【００２３】
２１は外部入力端子Ａ１１または外部入力端子Ｂ１２を介して入力された映像信号に対して画像処理を行う映像信号処理部、２２は外部入力端子Ａ１１または外部入力端子Ｂ１２を介して入力された音声信号に対して音声処理を行う音声信号処理部、２３は映像信号処理部２１から出力された映像信号の入力先であるＬＣＤ（Liquid Crystal Display）、２４は音声信号処理部２２から出力された音声信号の入力先であるスピーカである。
【００２４】
図２は、本発明における入力信号の検証から送出までの過程を示したフローチャートである。
【００２５】
ステップＳ１では、テレビ受像機１００にＤＶＤレコーダ２００が接続される。
【００２６】
ステップＳ２では、ＤＶＤレコーダ２００にデータが記録されたＤＶＤ（図示省略）が挿入され、データの再生が開始される。
データの再生開始に伴い、ＤＶＤレコーダ２００に設けられた映像出力端子（図示省略）および音声出力端子（図示省略）より、映像信号と音声信号が出力される。
【００２７】
ステップＳ３では、外部入力端子Ａ１１または外部入力端子Ｂ１２の何れか一方にＤＶＤレコーダ２００側の映像出力端子から出力された映像信号が入力され、他方にＤＶＤレコーダ２００側の音声出力端子から出力された音声信号が入力される。
そして、入力信号検証部１３にて、各々の端子に入力された信号の信号種別が検証される。
【００２８】
ステップＳ４では、入力信号検証部１３による信号種別の検証の結果、入力された信号に水平同期信号が含まれているか否かを判定する。判定の結果、水平同期信号が含まれておれば（ステップＳ４：ＹＥＳ）、ステップＳ５へ進み、含まれていなければ（ステップＳ４：ＮＯ）、ステップＳ７へ進む。
【００２９】
ステップＳ５では、入力信号検証部１３により、水平同期信号有りとの検証結果が得られた信号について、更に詳細な検証が行われる。
この検証手順は、図３に示すフローチャートのとおりである。
【００３０】
図３のステップＳ５−１では、引き続き、入力信号検出部１３にて検証が行われ、検証対象の信号に含まれている水平同期信号の立下りが検出される。
【００３１】
ここで、一般的に同期信号を含む信号として映像信号が挙げられ、映像信号の波形は図４の３１に示すような波形となる。
図４において、３２は映像信号、３３は同期信号、３４は水平同期信号を示す。また、図中において円形状の破線で囲まれた部分の拡大図３５を、同図中の下部に図示する。
上述した水平同期信号の立下りとは、拡大図３５において、３６で示す箇所である。
【００３２】
ステップＳ５−２では、ステップＳ５−１における水平同期信号の立下りの検出後、同水平同期信号に対して一定のサンプリング周期で検波が開始される。
【００３３】
ここで、検波を行う理由は下記の通りである。
【００３４】
通常、映像信号は水平同期信号を含んでいるため、従来の技術においては、水平同期信号の有無により、映像信号であるか否かの判断を行っていた。
【００３５】
ＮＴＳＣ方式における水平同期信号の周波数は、カラー放送であれば１５．７３４Ｈｚ、モノクロ放送であれば１５．７５Ｈｚであるため、これらの周波数を有する信号が検出された場合は、映像信号として判断することが出来る。
【００３６】
しかしながら、音声信号の中にも１５．７３４Ｈｚまたは１５．７５Ｈｚの周波数を有するものが存在し得ないとは言いがたい為、一概に周波数で判断出来るものではない。
よって、本発明においては、下記の手段を講じる。
【００３７】
水平同期信号の場合は、図４中の３４または拡大図３５中に示す通り、その波形において振幅が一様（フラット）である。
しかしながら、音声信号の場合は、図４の拡大図３５中において、水平同期信号と重ね合わせる形で示した通り、波形の振幅が一様ではない。
よって、一定のサンプリング周期で検波し、データを採取することによって、採取したデータに変動が有るか否かを検証し、検証の結果、変動がなければ映像信号であるとの確証が得られる。
【００３８】
但し、入力される音声信号の周波数と同様の周波数に基づいてサンプリング周期を設定した場合、拡大図３５中の３７に示すように、データに変動が生じ得ないような結果となる恐れがある。
よって、同図中の３８に示すように、入力される音声信号の周波数よりも大きい周波数でサンプリング周期を設定する必要がある。
【００３９】
設定する周期としては、例えば、音波信号の周波数を１００ｋＨｚ程度までと位置付け、その周波数よりも大きな周波数（例えば、２００ｋＨｚ）に基づき、周期を設定すればよい。
【００４０】
ステップＳ５−３では、水平同期信号の立ち上がりが検出され、ステップＳ５−２における検波が終了する。
尚、水平同期信号の立ち上がりとは、拡大図３５において、３９で示す箇所である。
【００４１】
ステップＳ５−４では、検波により得られたデータが変動しているか否かが検証される。
検波により得られたデータに前述のような変動が有れば（ステップＳ５−４：ＹＥＳ）、ステップＳ５−１に戻り、変動が無ければ（ステップＳ５−４：ＮＯ）、図２のフローチャートに示したステップＳ５が終了する。
【００４２】
図２のフローチャートに戻り、ステップＳ６では、ステップＳ５での検証の結果、検証した信号が映像信号であると判断される。
【００４３】
ステップＳ７では、ステップＳ４における検証の結果、音声信号と判断される。
【００４４】
ステップＳ８では、Ｓ６での結果を受け、映像信号が入力された外部入力端子１１または１２と映像信号の送出先である映像信号処理部２１とが繋がるように、スイッチ切り替え部１４にてスイッチの切り替えが行われる。
すなわち、外部入力端子Ａ１１にＤＶＤレコーダ２００から映像信号が入力される場合は、当該端子１１に接続されたスイッチＳＷ１がａ側に切り替わり、外部入力端子Ｂ１２にＤＶＤレコーダ２００から映像信号が入力される場合は、当該端子１１に接続されたスイッチＳＷ２がｄ側に切り替わる。
【００４５】
ステップＳ９では、Ｓ７での結果を受け、音声信号が入力された外部入力端子１１または１２と音声信号の送出先である音声信号処理部２２とが繋がるように、スイッチ切り替え部１４にてスイッチの切り替えが行われる。
すなわち、外部入力端子Ａ１１にＤＶＤレコーダ２００から音声信号が入力される場合は、当該端子１１に接続されたスイッチＳＷ１がｂ側に切り替わり、外部入力端子Ｂ１２にＤＶＤレコーダ２００から音声信号が入力される場合は、当該端子１１に接続されたスイッチＳＷ２がｃ側に切り替わる。
【００４６】
ステップＳ１０では、マイクロプロセッサ１により、外部入力端子Ａ１１の接続先と外部入力端子Ｂ１２の接続先が異なっているか否かが検知される。
外部入力端子Ａ１１の接続先と外部入力端子Ｂ１２の接続先が異なっている場合、すなわち一方の接続先が映像信号処理部２１で、他方の接続先が音声信号処理部２２である場合は（ステップＳ１０：ＹＥＳ）、ステップＳ１１へ進み、異なっていない場合、すなわち接続先がいずれも映像信号処理部２１である場合や、音声信号処理部２２である場合は（ステップＳ１０：ＮＯ）ステップＳ１２へ進む。
【００４７】
ステップ１１では、外部入力端子Ａ１１または外部入力端子Ｂ１２より入力された映像信号が、映像信号処理部２１へ送出されて画像処理され、最終的な入力先であるＬＣＤ２３に入力される。
また、外部入力端子Ａ１１または外部入力端子Ｂ１２より入力された音声信号が、音声信号処理部２２へ送出されて音声処理され、最終的な入力先であるスピーカ２４に入力される。
【００４８】
ステップＳ１２では、ステップＳ１０における接続先が同一であることを示すエラーがエラー検出部１５にて検出され、例えば、「映像用ケーブルまたは音声用ケーブルが２つ接続されているため、再生出来ません。」のような接続確認を促す警告がＯＳＤ（On Screen Display）にてＬＣＤ２３に表示される。
【００４９】
上述した実施形態においては、入力信号検証部１３で、まず入力された信号に水平同期信号が含まれるか否かが検証され、水平同期信号を含まない信号に関しては音声信号と判断し、水平同期信号を含む信号については、更に詳しく検証を行う。
検証方法としては、検証対象の信号に対して、２００ｋＨｚ以上の細かいサンプリング周期で検波し、検波により得られたデータに変動がない場合は、検証対象の信号を映像信号と判断する。
そして、入力信号検証部１３での検証結果に基づき、スイッチ切り替え部１４において適正なスイッチの切り替えが行われる。
これにより、外部入力端子Ａ１１，Ｂ１２を入力信号の種別を問わない入力端子とすることが出来るため、ユーザーが接続先を誤ること等による利便性の悪さを解消することが出来る。
また、入力される信号の検証の際に、映像信号に含まれる同期信号について、より細かな検証を行うため、入力信号の出力先をスイッチにて切り替える際に、精度の高い切り替えを実現することが出来る。
更に、外部入力端子Ａ１１と外部入力端子Ｂ１２の接続先が同一の場合においても、エラー検出部１５にてユーザーに対する警告が行われるため、仮に入力端子へ誤った接続がなされても、直ちに問題を解消することが出来る。
【００５０】
上記実施形態では、接続先が同一であることを示すエラーがエラー検出部１５にて検出され、例えば、接続確認を促す警告がＯＳＤにてＬＣＤ２３に表示されたが、音声信号処理部２２およびスピーカ２４を介して、音声で警告を行っても良い。
【図面の簡単な説明】
【００５１】
【図１】本発明に係る映像機器の実施形態を示したブロック図である。
【図２】本発明における入力信号の検証から送出までの過程を示したフローチャートである。
【図３】図２のステップＳ５の詳細を示したフローチャートである。
【図４】映像信号の波形を示した図である。
【符号の説明】
【００５２】
１１，１２  外部入力端子
１３  入力信号検証部
１４  スイッチ切り替え部
１５  エラー検出部
３４  水平同期信号
１００  テレビ受像機
２００  ＤＶＤレコーダ
【図１】
2009049673.tif 000003
【図２】
2009049673.tif 000004
【図３】
2009049673.tif 000005
【図４】
2009049673.tif 000006